(57)【要約】【課題】  文字入力操作と他の操作の使い分けが良好な情報処理の操作装置を提供する。【解決手段】  キーボード本体３１０と保護カバーと３５０と連結機構部３７０とから構成される操作装置３００であって、キーボード本体３１０はモード切替スイッチ群３１４とキーボード部３１１とを備え、保護カバー３５０は、キーボード本体３１０を収納する収納部３５１と、この保護カバー３５０の常に露出する位置に配置されるタッチパネル付の表示部３５２とを備え、連結機構部３７０は、キーボード本体３１０を収納部３５１に収納する第１の状態と、このキーボード本体３１０のキーボード部３１１を露出する第２の状態を取り得るようにキーボード本体３１０と保護カバー３５０とを連結し、モード切替スイッチ群３１４は、第１の状態および第２の状態で常に露出する位置に配置され、キーボード部３１１は、第１の状態では隠蔽され、第２の状態では露出する位置に配置される。【選択図】  図１
2005092270.tif 000002
【特許請求の範囲】
【請求項１】
複数の文字入力キーからなるキーボード部を備えたキーボード本体と、
前記キーボード本体の保護カバーと、
前記キーボード本体と保護カバーとを連結する連結機構部とから構成される操作装置であって、
前記キーボード本体は、複数のモード切替スイッチからなるモード切替スイッチ群を備え、
前記保護カバーは、前記キーボード本体を収納する収納部と、この保護カバーの常に露出する位置に配置されるタッチパネル付の表示部とを備え、
前記連結機構部は、前記キーボード本体を前記収納部に収納する第１の状態と、このキーボード本体を露出する第２の状態を取り得るように前記キーボード本体と保護カバーとを連結し、前記モード切替スイッチ群は、第１の状態および第２の状態で常に露出する位置に配置され、前記キーボード部は、前記第１の状態では隠蔽され、第２の状態では露出する位置に配置されることを特徴とする操作装置。
【請求項２】
請求項１に記載の操作装置において、
前記表示部は、非通電状態では隠蔽され、通電状態では前記保護カバーの常に露出する位置に表示されることを特徴とする操作装置。
【発明の詳細な説明】
【技術分野】
【０００１】
本発明は、情報処理装置の操作装置に関するものであり、特に、文字入力操作と他の操作の使い分けが良好な操作装置に関する。
【背景技術】
【０００２】
近年、パソコンなどの情報処理装置に、テレビボードやオーディオボードが装着され、情報処理装置が一般家電品の分野にどんどん入り込んでいる。一方、家電製品の分野、特に、テレビジョン受像機（以下テレビという）は、放送の受信機能から各種の情報を表示するモニター機能が重視されている。
【０００３】
これらの操作は、テレビにあっては、画面に入力文字を表示して、リモコンのカ−ソル移動キーで入力すべき文字を選択することで所定の文字を入力している。あるいは、リモコンのテンキーの数値ボタンの各キーに複数の文字を割り当て、例えば、「１」を1回押すと「あ」、2回押すと「い」と言う様に携帯電話で一般に使われる入力方法をとるものがある（例えば、特許文献１および特許文献２参照）。
【０００４】
【特許文献１】特開２００２−１９９２４４号公報
【０００５】
【特許文献２】特開平１０−６３４００号公報
【発明の開示】
【発明が解決しようとする課題】
【０００６】
前記従来のテレビの文字入力方法によれば、一般のキーボードに比べて、入力スピードが劣る課題がある。これを解決するために、リモコンにキーボードを設けることが考えられる。しかしながら、この場合、キーボードを設置するスペースが必要であり、また、キーボードによる誤操作の課題がある。
【０００７】
そこで、この発明の目的は、文字入力操作と他の操作の使い分けが良好な情報処理の操作装置を提供することにある。
【課題を解決するための手段】
【０００８】
前記目的を達成するために、本発明の操作装置は、複数の文字入力キーからなるキーボード部を備えたキーボード本体と、前記キーボード本体の保護カバーと、前記キーボード本体と保護カバーとを連結する連結機構部とから構成され、前記キーボード本体は、複数のモード切替スイッチからなるモード切替スイッチ群を備え、前記保護カバーは、前記キーボード本体を収納する収納部と、この保護カバーの常に露出する位置に配置されるタッチパネル付の表示部とを備え、前記連結機構部は、前記キーボード本体を前記収納部に収納する第１の状態と、このキーボード本体を露出する第２の状態を取り得るように前記キーボード本体と保護カバーとを連結し、前記モード切替スイッチ群は、第１の状態および第２の状態で常に露出する位置に配置され、前記キーボード部は、前記第１の状態では隠蔽され、第２の状態では露出する位置に配置される。
【発明の効果】
【０００９】
本発明によれば、文字入力操作と他の操作との使い分けを良好にすることができる。
【発明を実施するための最良の形態】
【００１０】
以下、図１から図６を参照して、この発明に係る実施形態を説明する。先ず、図１を参照して、この実施形態に係る情報処理装置の概略構造を説明する。図１は情報処理装置の装置構成図である。
【００１１】
図１において、この実施形態に係る情報処理装置１は、テレビ本体１００と、モニターテレビ２００と、遠隔操作装置３００とから構成される。テレビ本体１００とモニターテレビ２００はコードを介して接続されるとともに、アンテナ５０やネットワーク５００が接続され、遠隔操作装置３００はテレビ本体１００と赤外線または無線で接続される。この実施形態では、テレビ本体１００にテレビのチューナーや記録再生装置およびマイコンなどを備え、このマイコンが遠隔操作装置３００からの操作信号を受け付けて、この操作信号に伴う動作を行うとともに、モニターテレビ２００に映像信号やオーディオ信号を出力する。
【００１２】
また、このテレビ本体１００は、パソコンとしての機能を備えており、このテレビ本体１００を統括制御する本体マイコン１０１（図２参照）が、遠隔操作装置３００からの操作信号に基づいて対応処理を実行し、その処理結果をモニターテレビ２００に出力する。したがって、この実施形態によれば、遠隔操作装置３００の操作により、モニターテレビ２００に各種の映像情報を表示させることができる。
そして、この情報処理装置１の大きな特徴の１つは、遠隔操作装置３００に文字入力可能なキーボード部３１１を備え、しかも、このキーボード部３１１を使用形態により隠蔽または露出するように設けた点である。例えば、文字入力を行うソフトを実行させる時は、キーボード部３１１を露出させ、テレビ放送や録画再生などのキーボード部３１１を使わない時はこのキーボード部３１１を隠蔽するようにすることができる。これにより、遠隔操作装置３００の設置スペースを小さくするとともに、キーボード部３１１が露出されることによる誤操作を軽減している。
この情報処理装置１では、前記特徴を実現するために、遠隔操作装置３００を、複数の文字入力キーからなるキーボード部３１１を備えたキーボード本体３１０と、キーボード本体３１０の保護カバー３５０と、キーボード本体３１０と保護カバー３５０とを連結する連結機構部３７０とから構成する。キーボード本体３１０には、図２に示すような、この遠隔操作装置３００を統括制御する操作マイコン３１２と、操作指示や画面データなどを格納する操作メモリ３１３と、図示しない充電可能な電源部と、キーボード部３１１と、複数のモード切替スイッチからなるモード切替スイッチ群３１４を備える。
【００１３】
図１に戻り、保護カバー３５０には、キーボード本体３１０を収納する収納部３５１と、この保護カバー３５０の常に露出する位置に配置され、タッチパネルを有する表示部３５２を設ける。更に、連結機構部３７０は、キーボード本体３１０を収納部３５１に収納した第１の状態と、このキーボード本体を露出させた第２の状態を取り得るようにキーボード本体３１０と保護カバー３５０とを連結する。
【００１４】
加えて、モード切替スイッチ群３１４は、横一列に並べられた複数の操作ボタンで構成されるとともに、第１の状態および第２の状態で常に露出する位置に配置され、キーボード部３１１は、前記第１の状態では隠蔽され、第２の状態では露出する位置に配置される。
【００１５】
この実施の形態では、保護カバー３５０の後方に開放した収納部３５１を備え、この収納部３５１に後方よりキーボード本体３１０がスライド可能に収納される。
【００１６】
また、モード切替スイッチ群３１４は、テレビモード、録画再生モード、パソコンモードなどの複数のモード切替スイッチを備えており、これらスイッチの１つを押下することで、操作マイコン３１２が表示部３５２の表示内容を変更する。
【００１７】
表示部３５２は、モード切替スイッチ群３１４の操作により、対応する複数の操作キーや操作ガイダンスを表示する。この表示部３５２に表示される操作画面はツリー構造となっており、操作マイコン３１２が、操作キーの操作をタッチパネル３５３で受け付けて、対応する次の操作画面を表示するとともに、この操作に伴う必要な操作信号をテレビ本体１００に出力させる。
そして、この実施形態の第２の特徴は、第２の状態で、保護カバー３５０とキーボード本体３１０を前後の位置関係で引き出せるようにした点である。これにより、キーボード部３１１の手前に広い平面部を形成して、その平面部をパームレスト部３５５とすることができる。したがって、操作者は、このパームレスト部３５５に手首を支持しながらキーボード部３１１の入力操作ができるので、楽な姿勢で文字入力が可能である。しかも、パームレスト部３５５にはタッチパネル３５３を備えた表示部３５２が配置されるので、この表示部３５２をマウスパットとして利用できるから、新たにマウスを接続することなく、パソコン操作が可能である。
このように、この実施の形態に係る遠隔操作装置３００によれば、第１の状態では、保護カバー３５０内にキーボード本体３１０を収納することができるので、全体をコンパクトで、設置スペースの少ない形態とすることができる。しかも、この第１の状態では表示部３５２に各種の操作画面をモード切替スイッチ群３１４の操作で切り替えて表示するので、操作性に支障をきたすことがない。
【００１８】
一方、第２の状態では、キーボード部３１１を引き出して、このキーボード部３１１と、その手前に位置する保護カバー３５０と、表示部３５２とで、良好な入力環境を得ることができる。
【００１９】
次に、図２を参照して、この情報処理装置１の内部装置を説明する。図２は情報処理装置１の装置ブロック図である。
【００２０】
この実施形態では、本体マイコン１０１が、遠隔操作装置３００の赤外線による操作指示信号を操作信号受光部１０８で受信し、この操作指示に基づいて、この情報処理装置１を統括的に制御する。
【００２１】
チューナ１０２は、電子番組ガイド情報（ＥＰＧ情報）を重複した放送波を受信できる公知のものである。この電子番組ガイド情報は、チャンネル番号、番組の放送時間、番組名、番組内容、出演者、それら複数の番組が多重化されたストリームから所望の番組を抜き出すために必要なプログラムＩＤとプログラムテーブルなどが含まれる。前記放送波は、地上波、衛星放送波、有線放送波の何れでも良い。
アンテナ５０を介してチューナ１０２で受信された放送波は、番組情報抽出部１０３でＥＰＧ情報とコンテンツ情報に分離され、音声再生部１０４と映像再生部１０５に出力される。音声再生部１０４はスピーカ２０２に出力される。映像情報は、映像再生部１０５からの映像信号と画面生成部１０７からのグラフィックデータが表示合成部１０６で合成され、モニターテレビ２００に出力される。
【００２２】
この実施形態では、大容量の記憶装置としてＨＤＤ（ハードデイスク装置）１０９と、ＤＶＤ（デジタルビデオデイスク装置）１１０を備えている。そして、ＨＤＤ１０９に、この情報処理装置１をパソコンとして使う場合のＯＳが格納されており、電源がＯＮの状態で、本体マイコン１０１は、前記ＯＳを立ちあげて、このＯＳの環境下の基で各種の処理を実行する。
【００２３】
更に、この実施形態では、ＤＶＤ１１０やＨＤＤ１０９に格納されたコンテンツの再生はもちろんのこと、アンテナ５０とチューナー１０２を介して放送波で受信したコンテンツをＤＶＤ１１０やＨＤＤ１０９に格納することができ、また、ＤＶＤ１１０とＨＤＤ１０９の間で相互にダビングを行うことができる。
この実施形態では、ＤＶＤ１１０やＨＤＤ１０９への格納に際し、検索情報を同時に格納することができる。そして、この実施形態では、前記検索情報やＥＰＧ情報から各種の検索を行い、その検索結果に基づいて、検索した放送波やＤＶＤ１１０あるいはＨＤＤ１０９に格納したコンテンツを表示したり、あるいは、放送波のコンテンツを録画（予約録画を含む）したり、ダビングなどを行うことができる。また、この実施の形態では、外部インターフェース部１１１にＵＳＢ端子を備えている。
【００２４】
また、この実施形態では、外部インターフェース部１１１に他のパソコンとの接続インターフェースを取り付けて、これを本体１００内に収めることができる。なお、接続インターフェースとしては、モデムやＬＡＮボードがある。
【００２５】
遠隔操作装置３００は、この遠隔操作装置３００を統括制御する操作マイコン３１２と、各種のデータを格納する操作メモリ３１３と、キーボード部３１１と、モード切替スイッチ群３１４と、タッチパネル３５３を備えた表示部３５２、操作信号発信部３１５などを備えている。操作マイコン３１２は、操作キーからの操作入力を受け付けて、対応する画面データを操作メモリ３１３から呼び出して、これら画面データの各キーに割り当てられた機能信号を操作信号発信部３１５から出力する。
【００２６】
次に、図３から図５を参照して、この遠隔操作装置３００の外観を更に説明する。図３は、遠隔操作装置の内部構造図であり、図３（ａ）が断面図、図３（ｂ）が連結機構部の構造図である。図４は、第１の状態の外観図で、図４（ａ）が上面図、図４（ｂ）が側面図である。図５は第２の状態の外観図で、図５（ａ）が上面図、図５（ｂ）が側面図である。
【００２７】
図３において、この実施の形態では、キーボード部３１１を、設置面などに設置される基台部３２０と、この基台部３２０の上部に形成され、基台部３２０より、両側および前部に張り出して形成される薄い板状の本体部３２１とから形成される。本体部３２１は、その上面が平坦面３２２で形成され、この平坦面３２２にキーボード部３１１やモード切替スイッチ群３１４が配置される。この実施形態では、平坦部３２２の後端部に左右に長い帯状の隆起部３２３を形成し、この隆起部３２３にモード切替スイッチ群３１４を左右方向に直線状に配列している。そして、基台部３２０は平坦面３２２を後方が前方よりも高く傾斜するように支持する形状としている。
【００２８】
一方、保護カバー３５０は、本体部３２１の上面と両側面と前面を包むように、上面部と両側面部と前面部を備えたカバー体であり、キーボード本体３１０の基台部３２０と隆起部３２３を含むを本体部３２１の後方を露出するように開放している。本体部３２１の上面には、透過性を有する素材（透光性素材）により形成された板材で覆われた平坦なパームレスト部３５５が形成され、その板材の内側に表示部３５２が配置される。なお、この実施形態では、透光性素材の一例として、ハーフミラーを使用している。
【００２９】
そして、この実施形態では、本体部３２１の両側面と、保護カバー３５０の両側面との間に連結機構部３７０を設け、保護カバー３５０が、この連結機構部３７０を介して手前に引き出せるようになっている。連結機構部３７０は、例えば、図３（ｂ）で示すように、本体部３２１の両側面に突起部３７１、保護カバー３５０の両側面の内側に溝部３７２をそれぞれ設け、この溝部３７２に突起部３７１を嵌合させ、本体部３２１が溝部３７２に沿って矢印Ａのようにスライドする構造としている。
【００３０】
また、保護カバー３５０の上面には、表示部３５２を構成する液晶表示装置３５２ａが設けられ、他の内部機器をキーボード部３１１に内蔵させている。そして、この液晶表示装置３５２ａとタッチパネル３５３（図２参照）は、第２の状態でも露出しない部分を利用してキーボード本体３１０とコードで接続される。
【００３１】
次に、図４において、遠隔操作装置３００は、第１の状態において、保護カバー３５０の上面の平坦面（パームレスト部３５５）と隆起部３２３が面一となるように、キーボード本体３１０が収納部３５１に収納される。したがって、この第１の状態では、遠隔操作装置３００を、キーボード本体３１０と保護カバー３５０を重ねることができるので、設置スペースを小さくすることができる。
【００３２】
しかも、この第１の状態によれば、文字入力以外に不要なキーボード部３１１を隠蔽し、本体後方に配置したモード切替スイッチ群３１４と、その前部に配置したタッチパネル３５３を備えた表示部３５２により、通常の操作を行うことができる。
【００３３】
一方、図４で示す第１の状態から保護カバー３５０を手前に引き出すことにより、図５に示す第２の状態に変化させることができる。この実施形態では、手前に傾斜する姿勢で引き出された保護カバー３５０は、その先端部が設置面に接する位置で、保護カバー３５０の後方部が設置面と接するように、連結機構部３７０の溝部３７２の後端部に段差部３７３（図３参照）を形成している。これにより、この保護カバー３５０をパームレストとして使用した場合、保護カバー３５０全体が設置面で保持されるので、使用者の両手をしっかり保持できる。
また、この実施形態では、キーボード部３１１をＪＩＳ規格などで規格化されたキー配列としている。更に、前記したモード切替スイッチ群３１４は、右から電源ボタン３１４ａ、音量調節ボタン３１４ｂ、テレビモードとするテレビ切替ボタン３１４ｃ、ＤＶＤモードとするＤＶＤ切替ボタン３１４ｄ、パソコンモードとするパソコン切替ボタン３１４ｅ、ロック解除ボタン３１４ｆ、電話モードとする電話切替ボタン３１４ｇ、運転状態ランプ３１４ｈなどから構成する。
【００３４】
次に、各図を参照して、使用方法を説明する。先ず、この実施形態では、情報処理装置１は、通常状態において、ＯＳを立ちあげた待機状態となっている。この待機状態では、モニターテレビ２００の電源はＯＦＦとなっており、遠隔操作装置３００は第１の状態にある。
この第１の状態で、電源ボタン３１４ａを押下すると、この操作指示が本体マイコン１０１に伝達され、この本体マイコン１０１がモニターテレビ２００の電源ＯＮの状態とし、電源ボタン３１４ａを再度押下するとモニターテレビ２００の電源がＯＦＦの状態となる。この実施形態では、初期設定状態において、テレビモードが設定されており、それ以降は、電源ボタンでＯＦＦされた状態が記憶される。
電源がＯＮの状態となると、本体マイコン１０１は初期設定また前回の最終モードの状態でモニターテレビ２００に表示させる。例えば、前回、テレビモードの１チャンネルで電源がＯＦＦされていれば、電源をＯＮとしたときに、このチャンネルを選曲して表示する。
【００３５】
また、この実施形態では、電源がＯＦＦの状態では、表示部３５２に通電していないため、ハーフミラーにより、表示部３５２が隠蔽される。電源がＯＮの状態になると、表示部３５２に通電されるため、ハーフミラーから表示部３５２が浮き出るように表示される。また、電源がＯＮの状態になると、操作マイコン３１２は前回の最終モードのメニュー画面を表示部３５２に表示する。使用者は、このメニュー画面から必要な操作キーを選択することで、操作指示や下位の操作画面を表示することができる。
【００３６】
この実施形態では、操作マイコン３１２が、テレビ切替ボタン３１４ｃ、ＤＶＤ切替ボタン３１４ｄ、パソコン切替ボタン３１４ｅ、電話切替ボタン３１４ｇ、の１つが選択されると、各ボタンに対応する初期画面を表示部３５２に表示する。
【００３７】
この実施形態では、連結機構部３７０に図示しないロック機構を備え、このロック解除ボタン３１４ｆを押下することで、連結機構部３７０のロック状態を解除することができる。このロック状態を解除することで、遠隔操作装置３００の形態が、第１の状態から第２の状態に形態を変化させることができる。この第２の状態によれば、キーボード部３１１が露出するので、このキーボード部３１１を介して文字入力を行うことができる。しかも、このキーボード部３１１の手前には、パームレスト部３５５が形成されるので、文字入力を快適な環境で行うことができる。更に、タッチパネル３５３を備えた表示部３５２はパームレスト部３５５の中央に配置されるので、文字入力を快適な環境で行うことができるとともに、この入力姿勢で親指近傍に表示部３５２が配置され、この表示部３５２をトラックパットとして使うことができる。
また、この実施形態では、情報処理装置１に充電機能を有する記録再生装置を赤外線または無線で接続することができるようになっている。この記録再生装置について、図６を参照して説明する。
図６は記録再生装置の外観図であり、図６（ａ）は充電機能を備えた記録再生装置の外観斜視図、図６（ｂ）は記録再生装置と遠隔操作装置とを接続した状態の右側面図である。図６において、記録再生装置４００は、充電部４１０と記録再生部４２０とで構成され、充電部４１０に設けられた充電端子４１１と遠隔操作装置３００の裏面（基台部３２０の裏面）に設けられた図示しない端子とを接続することで、遠隔操作装置３００の充電を行うことができるようになっている。
記録再生部４２０は、光ディスク等の記録媒体を挿入する媒体挿入口４２１と、記録媒体の再生や一時停止を行う再生ボタン４２２、記録媒体の再生を停止する停止ボタン４２３、記録データの早送りや巻き戻しを行う送りボタン４２４、音量の調節を行う音量調節ボタン４２５を備え、記録媒体が挿入された状態で各種操作を行うことができるようになっている。
次に、この記録再生装置４００の使用方法について説明する。先ず、光ディスク等の記録媒体を媒体挿入口４２１から記録再生部４２０に挿入すると、記録再生装置４００が稼動状態となる。挿入した記録媒体が、あらかじめ映像情報等が記録されたものである場合には、再生ボタン４２２を操作することにより映像情報等の再生を開始し、再生された情報がモニターテレビ２００（図１参照）に表示されるようになっている。そして、記録再生部４２０に設けられた各種の操作ボタンを操作することにより、早送りや巻き戻し、再生停止等の各種操作を行うことができる。
また、挿入した記録媒体に情報等の記録（書き込み）を行う場合には、遠隔操作装置３００を操作してパソコン（テレビ本体１００）に指示を行うことで、赤外線または無線を介してパソコンから記録再生装置４００に情報等が送信され、記録媒体への記録が行われるようになっている。
これにより、通常、モニターテレビの近傍に配置されるパソコンに記録媒体を直接挿入することなく情報の記録や再生を行うことができるので、情報処理装置の使い勝手を向上されることができる。
【００３８】
なお、この実施形態では、再生ボタン４２２の操作により記録媒体に記録された映像情報等を再生しているが、映像情報等の再生を、記録媒体の挿入に伴って自動的に開始するようにしてもよい。
【００３９】
また、図６（ｂ）で示すように、主に充電を行う場合に遠隔操作装置３００と記録再生装置４００とを第１の状態で接続させた状態とするが、この実施形態では、遠隔操作装置３００と記録再生装置４００とを第１の状態で接続させた状態でも記録媒体に記録された映像情報等の再生を行うことができるようになっている。この状態では、パームレスト部３５５の中央に表示部３５２が表示され、この表示部３５２に表示された各種の操作画面を操作することで、映像情報の再生や停止、早送りや巻き戻し等の各種操作をおこなうことができる。これにより、充電を行いながら映像情報等の再生を行うことができるので、遠隔操作装置の使い勝手を向上させることができる。
なお、この実施形態では、表示部３５２に操作画面を表示しているが、表示部３５２に再生された映像情報等を表示するようにしてもよい。
【図面の簡単な説明】
【００４０】
【図１】この発明に係る情報処理装置の装置構成図である。
【図２】この発明に係る情報処理装置の装置ブロック図である。
【図３】この発明に係る遠隔操作装置の断面図である。
【図４】この発明に係る遠隔操作装置の外観図である。
【図５】この発明に係る遠隔操作装置の外観図である。
【図６】この発明に係る遠隔操作装置に接続される記録再生装置の外観図である。
【符号の説明】
【００４１】
１…情報処理装置、１００…テレビ本体、１０１…本体マイコン、１０２…チューナ、１０３…番組情報抽出部、１０４…音声再生部、１０５…映像再生部、１０６…表示合成部、１０７…画面生成部、１０８…操作信号受光部、１０９…ＨＤＤ（ハードデイスク装置）、１１０…ＤＶＤ（デジタルビデオデイスク装置）、１１１…外部インターフエイス部、２００…モニターテレビ、２０１…モニターテレビ本体、２０２…スピーカ、３００…遠隔操作装置、３１０…キーボード本体、３１１…キーボード部、３１２…操作マイコン、３１３…操作メモリ、３１４…モード切替スイッチ群、３１４ａ…電源ボタン、３１４ｂ…音量調節ボタン、３１４ｃ…テレビ切替ボタン、３１４ｄ…DVD切替ボタン、３１４ｅ…パソコン切替ボタン、３１４ｆ…ロック解除ボタン、３１４ｇ…電話切替ボタン、３１４ｈ…運転状態ランプ、３１５…操作信号発信部、３２０…基台部、３２１…本体部、３２２…平坦面、３２３…隆起部、３５０…保護カバー、３５１…収納部、３５２…表示部、３５２ａ…液晶表示装置、３５３…タッチパネル、３５５…パームレスト部、３７０…連結機構部、３７１…突起部、３７２…溝部、３７３…段差部、４００…記録再生装置、４１０…充電部、４１１…充電端子、４２０…記録再生部、４２１…媒体挿入口、４２２…再生ボタン、４２３…停止ボタン、４２４…送りボタン、４２５…音量調節ボタン。
【図１】
2005092270.tif 000003
【図２】
2005092270.tif 000004
【図３】
2005092270.tif 000005
【図４】
2005092270.tif 000006
【図５】
2005092270.tif 000007
【図６】
2005092270.tif 000008